(57)【要約】【課題】光パワーの大幅な損失なしに、ネットワーク要素の故障からHPONを保護しつつネットワーク容量をコスト効果的に増やすこと。【解決手段】光ネットワークの分配ノードでトラフィックを分配する方法は、アップストリームターミナル(UT)から、分配ノードにおけるフィルタで波長分割多重(WDM)トラフィックを複数の波長で受信する。光ネットワークは、１つ以上のUT、分配ノード及び複数のダウンストリームターミナル(DT)を有する。フィルタの各々は、複数の別個のファイバで１つ以上のUTに結合されている。本方法は、第１群の１つ以上の波長のトラフィックと第２群の１つ以上の波長のトラフィックとをフィルタで分離し、全てのDTに分配するように、第１群の波長でトラフィックをルーティングし、特定の一部のDTに分配するように、第２群の波長の各波長でトラフィックをルーティングする。【選択図】図４Ｂ
2007325279.tif 000002
【特許請求の範囲】
【請求項１】
１つ以上のアップストリームターミナル、分配ノード及び複数のダウンストリームターミナルを有する光ネットワークの分配ノードでトラフィックを分配する方法であって、
前記１つ以上のアップストリームターミナルの少なくとも１つから、前記分配ノードにおける複数のフィルタの少なくとも１つで波長分割多重(WDM)トラフィックを複数の波長で受信するステップであって、前記フィルタの各々は、複数の別個のファイバで１つ以上のアップストリームターミナルに結合されているステップと、
第１群の１つ以上の波長のトラフィックと第２群の１つ以上の波長のトラフィックとを前記フィルタで分離するステップと、
全てのダウンストリームターミナルに分配するように、前記第１群の波長でトラフィックをルーティングするステップと、
特定の一部のダウンストリームターミナルに分配するように、前記第２群の波長の各波長でトラフィックをルーティングするステップと、
を有する方法。
【請求項２】
特定の一部のダウンストリームターミナルに分配するように、前記第２群の波長の各波長でトラフィックをルーティングするステップが、
前記複数のフィルタの少なくとも１つから、前記第２群の波長でトラフィックを波長ルータに転送するステップと、
前記波長ルータを用いて前記第２群の複数の波長を分離するステップと、
特定の一部のダウンストリームターミナルに分配するように、前記第２群の波長の各波長で前記トラフィックをルーティングするステップと、
を有する付記１記載の方法。
【請求項３】
１つ以上のアップストリームターミナル、分配ノード及び複数のダウンストリームターミナルを有する光ネットワークの分配ノードでトラフィックを分配する方法であって、
前記１つ以上のアップストリームターミナルの少なくとも１つから、前記分配ノードにおけるスイッチで波長分割多重(WDM)トラフィックを複数の波長で受信するステップであって、前記スイッチは、複数の別個のファイバで１つ以上のアップストリームターミナルに結合されているステップと、
前記ファイバの１つから、フィルタに転送されるべきWDMトラフィックを選択するステップと、
第１群の１つ以上の波長のトラフィックと第２群の１つ以上の波長のトラフィックとを前記フィルタで分離するステップと、
全てのダウンストリームターミナルに分配するように、前記第１群の波長でトラフィックをルーティングするステップと、
特定の一部のダウンストリームターミナルに分配するように、前記第２群の波長の各波長でトラフィックをルーティングするステップと、
を有する方法。
【請求項４】
特定の一部のダウンストリームターミナルに分配するように、前記第２群の波長の各波長でトラフィックをルーティングするステップが、
前記フィルタから、前記第２群の波長でトラフィックを波長ルータに転送するステップと、
前記波長ルータを用いて前記第２群の複数の波長を分離するステップと、
特定の一部のダウンストリームターミナルに分配するように、前記第２群の波長の各波長で前記トラフィックをルーティングするステップと、
を有する付記３記載の方法。
【請求項５】
前記第１群の波長でトラフィックを受信するステップと、
前記第２群の波長の各波長でトラフィックを受信するステップと、
前記第１群の波長のトラフィックを、前記第１群のトラフィックの複数の第２コピーに分けるステップと、
前記第２群の波長の各波長でトラフィックを、前記第２群の各波長で前記トラフィックの複数の第２コピーに分けるステップと、
前記第１群の前記第２コピーを全てのダウンストリームターミナルに分配するステップと、
前記第２群の各波長で前記トラフィックの前記第２コピーを、特定の一部の前記ダウンストリームターミナルに分配するステップと、
を有する付記３記載の方法。
【請求項６】
光ネットワークにおける分配ノードであって、前記光ネットワークは、１つ以上のアップストリームターミナル、当該分配ノード及び複数のダウンストリームターミナルを有し、当該分配ノードは、
複数の別個のフィルタにより１つ以上のアップストリームターミナルに結合された複数のフィルタであって、各フィルタは、波長分割多重(WDM)トラフィックを複数の波長で受信し、第１群の１つ以上の波長で受信したトラフィックと第２群の１つ以上の波長のトラフィックと分離し、所与のどの時点でも複数のフィルタの内唯１つが前記WDMトラフィックを受信する複数のフィルタと、
前記フィルタ各々に結合された第１プライマリカプラであって、前記第１群の波長でトラフィックを受信し、全てのダウンストリームターミナルに分配するように、前記第１群の波長でトラフィックをルーティングする第１プライマリカプラと、
前記フィルタ各々に結合された分配システムであって、前記第２群の波長でトラフィックを受信し、特定の一部のダウンストリームターミナルに分配するように、前記第２群の波長の各波長でトラフィックをルーティングする分配システムと、
を有する分配ノード。
【請求項７】
前記分配システムが、前記フィルタの各々に結合された第２プライマリカプラを有し、
該第２プライマリカプラは、前記フィルタの１つから、前記第２群の波長でトラフィックを受信し、前記第２群の波長でトラフィックを波長ルータに転送し、
前記波長ルータは、前記第２プライマリカプラに結合され、前記第２群の複数の波長を分離し、特定の一部のダウンストリームターミナルに分配するように、前記第２群の波長の各波長で前記トラフィックをルーティングする付記６記載の分配ノード。
【請求項８】
前記分配システムが、複数の波長ルータを有し、各波長ルータは前記フィルタの１つに結合され、
各波長ルータは、前記第２群の波長における複数の波長を分離し、特定の一部のダウンストリームターミナルに分配するように、前記第２群の波長の各波長で前記トラフィックをルーティングし、
所与のどの時点でも、前記複数の波長ルータの唯１つが、前記第２群の波長でトラフィックを受信する付記６記載の分配ノード。
【請求項９】
前記第１プライマリカプラが、前記第１群の波長におけるトラフィックを複数のコピーに分割し、全てのダウンストリームターミナルに分配するように前記コピーを転送する付記８記載の分配ノード。
【請求項１０】
当該分配ノードが複数のセカンダリカプラを更に有し、各セカンダリカプラは前記第１プライマリカプラに及び前記分配システムに結合され、各セカンダリカプラは、
前記第１群の波長でトラフィックを受信し、
前記第２群の波長の各波長でトラフィックを受信し、
前記第１群の波長のトラフィックを、前記第１群のトラフィックの複数の第２コピーに分割し、
前記第２群の波長の各波長でトラフィックを、前記第２群の各波長で前記トラフィックの複数の第２コピーに分割し、
前記第１群の前記第２コピーを全てのダウンストリームターミナルに分配し、
前記第２群の各波長で前記トラフィックの前記第２コピーを、特定の一部の前記ダウンストリームターミナルに分配する付記６記載の分配ノード。
【発明の詳細な説明】
【技術分野】
【０００１】
本発明は一般に通信システムに関連し、特に光ネットワークをプロテクトするためのシステム及び方法に関連する。
【背景技術】
【０００２】
近年、アクセスネットワークとして知られるネットワークの部分で通信ネットワークの障害が生じている。波長分割多重化(WDM)及び高ビットレートでのトラフィック伝送等のような新たな技術により、長距離光通信の帯域は急激に増えている。メトロポリタンエリアネットワークでは劇的に帯域が増加している。しかしながら、アクセスネットワーク（キャリアのセントラルオフィスと居住の又は商用のカスタマサイトとを接続する通信インターフェースのラストマイルとしても知られている）では、帯域は適切に大幅に増えてはいない。現在アクセスネットワークはインターネットのような通信ネットワークの障害となっている。
【０００３】
パワー分離受動光ネットワーク(PSPON:  Power  Splitting  Passive  Optical  Network)はこの障害問題に対する１つのソリューションを与える。PSPONは一般的なアクセスネットワークに関連し、アクセスネットワークでは、キャリアのセントラルオフィスの光回線ターミナル(OLT)は１つ以上のダウンストリーム波長を介して光ネトワークユニット(ONU)へブロードキャストするトラフィックを伝送する。アップストリーム方向では、一般にONUは１つの波長でトラフィックを時分割共有方式で伝送する。ONUはファイバを介して伝送された光信号を電気信号に変換する形式のアクセスノードであり、その電気信号は個々の加入者に送信可能である、又はその逆の動作を行う。PSPONは、一般的なアクセスネットワークよりも広い帯域をアクセスノードに用意することで、上記の障害に対処しようとする。例えば、銅の電話回線を介してトラフィックを伝送するディジタル加入者回線(DSL)のようなネットワークは、一般に、約１４４キロビット毎秒（Kb/s）及び１．５メガビット毎秒(Mb/s)の間のレートで伝送する。これに対して、PSPONの具体例であるブロードバンドPON(BPON)は、数百メガビット毎秒の容量を３２ユーザで共用するように現在配備されている。別のPSPONの具体例であるギガビットPON(GPON)は、一般に、よりパワフルな送信機を利用して更に大きな帯域さえ用意することで、２．５ギガビット毎秒(Gb/s)に至るほどの速度で動作する。他のPSPONは、例えば、非同期転送モードPON(APON)及びギガビットイーサーネットPON(GEPON)等を含む。
【０００４】
PSPONシステムはアクセスネットワークで帯域の増加をもたらすが、より広帯域に拡大する要請が続く。１つのソリューションは波長分割多重化PON(WDMPON)であり、これはダウンストリーム（及びアップストリーム）の容量を劇的に増やすかもしれないが非効率的である。WDMPONは或るアクセスネットワークであり、そのアクセスネットワークでは、専用のダウンストリーム及びアップストリームの波長それぞれを介してトラフィックを各ONUが受信及び送信する。WDMPONは容量を劇的に増やすかもしれないが、それを行うには多くのオペレータにとって法外にコスト高となり、現在の又は近い将来の要請とかけ離れたキャパシティを招くことになる。ハイブリッドPON(HPON)は、既存のPSPONから簡易且つ効果的なアップグレードを行うことで、この問題に対処し、既存のPSPONは(例えば、WDMPONに)簡易且つ効果的にアップグレードされる。HPONは、２つ以上のONUのグループにダウンストリームWDM波長を共用させることで、より多くのダウンストリーム容量をコスト効果的にもたらす。HPONは、複数の波長でダウンストリームトラフィックを伝送するHPON（各波長は波長を共有するONU群で共有される）と、各ONUに固有の波長でダウンストリームトラフィックを伝送するHPONとの双方を含む（アップストリーム方向でPSPON特性を維持する）。
【０００５】
HPONはDSLネットワークのような一般的なアクセスネットワークより非常に広い帯域をもたらすが、それらはOLT及び光ファイバの不具合から保護されていない。従って、これらの要素の１つが故障すると、その故障が直るまでシステムはトラフィックを通信することが（少なくとも部分的に）できない。更に、HPONが故障からたとえ保護される場合でさえも、HPONを保護する追加的な光学要素は、受信端での光信号パワーレベルの減少を引き起こし、最大伝送距離を制限してしまう。容量を増やす要請は高まり続けるので、光パワーの大幅な損失なしに、１つ以上の要素における故障からHPONを保護するコスト効果的なソリューションが必要とされている。
【発明の開示】
【発明が解決しようとする課題】
【０００６】
本願の課題は、光パワーの大幅な損失なしに、ネットワーク要素の故障からHPONを保護しつつネットワーク容量をコスト効果的に増やすことである。
【課題を解決するための手段】
【０００７】
本発明の教示によれば、光ネットワークの分配ノードでトラフィックを分配する方法は、１つ以上のアップストリームターミナルの少なくとも１つから、前記分配ノードにおける複数のフィルタの少なくとも１つで波長分割多重(WDM)トラフィックを複数の波長で受信することを含む。光ネットワークは、１つ以上のアップストリームターミナル、分配ノード及び複数のダウンストリームターミナルを有する。前記フィルタの各々は、複数の別個のファイバで１つ以上のアップストリームターミナルに結合されている。本方法は、第１群の１つ以上の波長のトラフィックと第２群の１つ以上の波長のトラフィックとを前記フィルタで分離することを更に含む。本方法は、全てのダウンストリームターミナルに分配するように、前記第１群の波長でトラフィックをルーティングすることを更に含む。本方法は、特定の一部のダウンストリームターミナルに分配するように、前記第２群の波長の各波長でトラフィックをルーティングすることを更に含む。
【０００８】
本発明の別の教示によれば、光ネットワークの分配ノードでトラフィックを分配する方法は、前記１つ以上のアップストリームターミナルの少なくとも１つから、前記分配ノードにおけるスイッチで波長分割多重(WDM)トラフィックを複数の波長で受信することを含む。光ネットワークは、１つ以上のアップストリームターミナル、分配ノード及び複数のダウンストリームターミナルを有する。前記スイッチは、複数の別個のファイバで１つ以上のアップストリームターミナルに結合されている。本方法は、前記ファイバの１つから、フィルタに転送されるべきWDMトラフィックを選択することを更に含む。本方法は、第１群の１つ以上の波長のトラフィックと第２群の１つ以上の波長のトラフィックとを前記フィルタで分離することを更に含む。本方法は、全てのダウンストリームターミナルに分配するように、前記第１群の波長でトラフィックをルーティングすることを更に含む。本方法は、特定の一部のダウンストリームターミナルに分配するように、前記第２群の波長の各波長でトラフィックをルーティングすることを更に含む。
【発明を実施するための最良の形態】
【０００９】
本発明の実施例は１つ以上の技術的利点をもたらすかもしれない。一実施例による技術的利点は、分配ノード(distribution  node)で代替的な要素を用いることで、ブロードキャストトラフィックを含むダウンストリーム信号を分離するイニシャルカプラの必要性を無くすことである。その結果、ブロードキャストトラフィックは、より低いパワー損失しか受けない。そのような少ないパワー損失が有利であるのは、ブロードキャストトラフィックは、ONUへの通信に備えて分配ノードでの分離処理を受けなければならないからである。従ってこのトラフィックは限られたパワーバジェットで足りる。
【００１０】
本発明の様々な実施例は上記の技術的利点の全部又は一部を含んでもよいし、全く含まなくてもよいことが理解されるであろう。更に、本発明の他の技術的利点は、明細書、図面及び特許請求の範囲から当業者に更に明確になるであろう。
【００１１】
本発明並びにその特徴及び利点の完全な理解を更に期するため、添付図面に関連する以下の説明が参照される。
【実施例１】
【００１２】
図１はパワー分離パッシブ光ネットワーク(PSPON)１０の一例を示す図である。一般に、PSPONは、アクセスネットワークとして知られているネットワークの一部における通信ネットワークの問題に対処するよう使用される。近年、波長分割多重化(WDM)及び高ビットレートでのトラフィック伝送等のような新技術により、長距離光ネットワークの帯域は急激に増えている。更に、メトロポリタンエリアネットワークでは劇的に帯域が増加している。しかしながら、アクセスネットワーク（キャリアのセントラルオフィスと居住の又は商用のカスタマサイトとを接続する通信インターフェースのラストマイルとしても知られている）では、帯域は適切に大幅に増えてはいない。現在アクセスネットワークはインターネットのような通信ネットワークの障害となっている。
【００１３】
PSPONは、一般的なアクセスネットワークよりも広い帯域をアクセスノードに用意することで、上記の障害に対処しようとする。例えば、銅の電話回線を介してトラフィックを伝送するディジタル加入者回線(DSL)のようなネットワークは、一般に、約１４４キロビット毎秒（Kb/s）及び１．５メガビット毎秒(Mb/s)の間のレートで伝送する。これに対して、ブロードバンドPON(BPON)は、数百メガビット毎秒の容量を３２ユーザで共用するように現在配備されている。ギガビットPON(GPON)は、一般に、よりパワフルな送信機を利用することで、２．５ギガビット毎秒(Gb/s)に至るほどの速度で動作する。
【００１４】
図１のPSPON１０を再び参照するに、PSPON１０は、光回線ターミナル(OLT)２０、光ファイバ３０、リモートノード(RN)４０及び光ネットワークユニット(ONU)５０を含む。PSPON１０は一般的なアクセスネットワークに関連し、そのアクセスネットワークでは、キャリアのセントラルオフィスの光回線ターミナル(OLT)が、１つ以上のダウンストリーム波長を介して光ネットワークユニット(ONU)にブロードキャストするトラフィックを送信する。PSPON１０は、非同期転送モードPON(APON)、BPON、GPON、ギガビッットイーサーネットPON(GEPON)又は適切な他の如何なるPSPONでもよい。全てのPSPON１０に共通する特徴は、外側のファイバプラント(fiber  plant)が完全にパッシブなことである。OLTにより伝送されるダウンストリーム信号は、RNに結合されるファイバのブランチを介してダウンストリームONUに、RNにより受動的に分配され、各ONUは特定のブランチの端部(エンド)に結合される。ONUにより伝送されるアップストリーム信号は、RNによりOLTにパッシブに転送される。
【００１５】
アップストリームターミナルの具体例であるOLT２０は、キャリアのセントラルオフィスにあってもよく、それはより大きな通信ネットワークに結合される。OLT２０はλdのようなダウンストリーム波長で全てのONU５０にブロードキャストするトラフィックを送信する送信機を含み、ONUはカスタマサイトに又はその近辺にあってよい。OLT２０は第２ダウンストリーム波長λv（λdに加えられてもよい）で全てのONU５０にブロードキャストするトラフィックを送信する送信機を含んでもよい。一例として、一般のGPONでは、λvはアナログビデオ信号を搬送するかもしれない。或いはλvはディジタルデータトラフィックを搬送するかもしれない。OLT２０は時分割共有アップストリーム波長λuで全てのONU５０からトラフィックを受信する受信機も含む。一般のPSPONでは、λd及びλvのダウンストリームはλuにおけるトラフィックよりも高ビットレートで伝送される。なぜなら、PSPONは一般にダウンストリーム帯域よりも少ないアップストリーム帯域を用意しているからである。「ダウンストリーム」トラフィックはOLT（又はアップストリームターミナル）からONU(又はダウンストリームターミナル)への方向に伝搬するトラフィックに関連し、「アップストリーム」トラフィックはONU（又はダウンストリームターミナル）からOLT(又はアップストリームターミナル)への方向に伝搬するトラフィックに関連することに留意すべきである。特定のPSPONでは、λdは1490nm付近の帯域中心波長を有し、λvは1550nm付近の帯域中心波長を有し、λuは1311nm付近の帯域中心波長を有してよいことに更に留意すべきである。
【００１６】
光ファイバ３０はアップストリーム及びダウンストリームのトラフィックを搬送する適切な如何なるファイバを含んでもよい。あるPSPON１０では、光ファイバは例えば双方向光ファイバで構成されてよい。他のPSPON１０では、光ファイバ３０は２つの別個のファイバで構成されてもよい。PSPON１０のRN４０（一般的には、分配ノードと言及される）は、光カプラのような適切な如何なるパワースプリッタで構成されてよく、OLT２０をONU５０に接続する。RN４０は、適切な如何なる場所に設けられてもよく、各ONU５０がダウンストリーム信号のコピーを受信するように、ダウンストリーム信号を分割する。分離及びその他の可能性のあるパワー損失に起因して、ONUに転送されるコピー各々はRN４０で受信したダウンストリーム信号の１／Nより少ないパワーを有し、ここでNはONU５０の数を表す。ダウンストリーム信号を分けることに加えて、RN４０は、ONU５０から送信された時分割共有信号を１つのアップストリーム信号に結合する。RN４０はそのアップストリーム信号をOLT３０に転送する。
【００１７】
ONU５０（ダウンストリームターミナルの一例でもよい）は、光ネットワークユニット又は光ネットワークターミナル(ONT)の適切な如何なるものを含んでよく、ファイバを介して伝送された光信号を、個々の加入者に伝送することの可能な電気信号に変換する形式のアクセスノードに一般に関連する。加入者は居住する及び／又は商用のカスタマを含んでよい。一般に、PON１０はOLT２０当たり３２個のONU５０を含み、多くのPONの例はこの数のONUを含むように説明される。しかしながらOLT当たり適切な如何なる数のONUが用意されてもよい。ONU５０はトリプレクサ(triplexer)を含み、トリプレクサはダウンストリームトラフィックを受信する受信機２つ（１つはλdのトラフィック用であり、もう１つはλvのトラフィック用である）と、λuのアップストリームを伝送するための送信機１つとを有する。ONU送信機の伝送レートは、一般に、OLT送信機の伝送レートより小さい（ダウンストリーム容量よりもアップストリーム容量の要請が少ないからである。）。各ONU５０は、指定されたダウンストリームトラフィックを処理し、適切な時分割共有プロトコル（λuで或るONUにより送信されたトラフィックが、λuの他のONUのトラフィックと衝突しないようにするプロトコル）に従ってアップストリームトラフィックを送信する。
【００１８】
動作時にあっては、一般的なPSPON１０のOLT２０は、１つ以上のONU５０について指定されたダウンストリームをλvで送信する。OLT２０はλvでONU５０にブロードキャストするダウンストリームアナログビデオトラフィックを送信してもよい。波長λd及びλvのトラフィックは、OLT２０で結合され、光ファイバ３０を介してRN４０に伝搬する。RN４０はダウンストリームトラフィックを適切な数のコピーに分割し、各コピーを関連するONUに転送する。各ONUはλd及びλvでダウンストリームトラフィックのコピーを受信し、その信号を処理する。適切なアドレス法を利用して、どのトラフィックがどのONU５０宛であるかを確認してもよい。各ONU５０は、適切な時分割共有プロトコルに従って（アップストリームトラフィックが衝突しないように）ファイバ３０に沿ってλuでアップストリームトラフィックを送信してもよい。RN４０は各ONU５０からアップストリームトラフィックを受信し、各ONU５０からのトラフィックを１つの信号に合成する。RN４０はその信号をファイバ３０を介してOLT２０に転送する。OLT２０はその信号を受信し、それを処理する。
【００１９】
PSPONはDSLネットワークのような一般的なアクセスノードより非常に広い帯域を提供するが、一般的なPSPONで提供される増えた容量さえも上回る帯域要求が予想される。例えば、あるストリーミングビデオ及びオンラインゲームアプリケーションは、現在約１乃至１０Mb/sのビットレートを必要とし、あるIP高解像度テレビジョン及びビデオオンデマンドシステムは、現在約１２Mb/sのビットレートを必要とする。帯域に関する将来的な要請は、更に多くなることが予想される。かくて既存のPSPONから簡易且つ効率的なアップグレードをもたらし且つ簡易且つ効率的に（例えば、WDMPONに）アップグレードされるハイブリッドPON(HPON)が必要とされている。
【００２０】
図２はHPON１００の一例を示す図である。PSPON及びWDMPONのハイブリッドであるHPONの一例は、多くのネットワークオペレータにとってコスト効果的なアップグレードソリューションをもたらす。HPON１００の例は、２以上のONU１５０のグループにダウンストリームWDM波長を共有させることで、より大きなダウンストリーム容量をコスト効果的に提供する。HPONは一般に適切な如何なるPON（完全なWDMPONではなく、ダウンストリームトラフィックを特定の波長で特定のONUにルーティングする（及び適切な何らかの方法でアップストリームを送信するPON）にも関連することに留意すべきである。HPONは、複数の波長でダウンストリームを送信するHPON(各波長は一群の波長共有ONUで共用される)（WS-HPON）と、各ONUに特有の波長でダウンストリームを送信するHPON(アップストリーム方向でPSPONの特性を維持する)との双方を含んでよい。
【００２１】
図示の例では、ONU１５０ａ−１５０ｎはλ1−λ4を共有してよい。λvのトラフィックは全てのONUにブロードキャストされる。適切な如何なる数のONUも１つのOLTに関連付けられてよいことに留意すべきである。更に、適切な如何なる数のONUもWS-HPONで１つ以上の波長を共有してよい。WS-HPONで共用される波長を利用することは、例えば、WDMPONにおけるものより低いコストで光学素子の利用を可能にする。例えば、HPON１００でダウンストリーム波長を共有することは、コストを減らし、ネットワーク内のマルチプレクサ及び送信機／受信機構成要素の安定性条件を緩和する。波長を共有することに起因して、WDM波長間の間隔は、波長選択要素の仕様を緩和するように増やされ、且つパッシブ構成要素の温度安定性及び送信機波長安定性の条件を緩和するように増やされる。ダウンストリーム帯域で所望の増加をもたらすのに高価でない構成要素を利用することで、HPON１００は、多くのネットワークオペレータにとって、WDMPONよりも非常に多くの有利なアップグレードソリューションになる。
【００２２】
一例のHPON１００はコンポーネント１１０及びONU１５０を有する。コンポーネント１１０はOLT１２０、光ファイバ１３０及びRN１４０を含む。HPON１００のOLT１２０（アップストリームターミナルの一例である）はキャリアのセントラルオフィスにあってもよく、λ1−λ4を介してダウンストリームトラフィックを送信するよう動作する４つの送信機を有し、その波長はONU１５０のグループで共有される。OLT１２０は、全てのONU１５０にブロードキャストするためのアナログビデオ信号をλvで送信する追加低な送信機を有する。OLT１２０は、OLT１２０の送信機で送信される波長を多重するマルチプレクサも有する。OLT１２０は、ONU１５０で時分割共有される波長λuでアップストリームトラフィックを受信する受信機を有する。図示の例はONU１５０で共有される４つのダウンストリーム波長しか示していないが、適切なダウンストリーム波長のいくつでもがOLT１２０で送信され且つONU１５０のグループで共有されてよいことに留意すべきである。更に、適切なダウンストリーム波長のいくつでもが、OLT１２０で送信され、トラフィックはこれらの波長で全てのONU１５０にブロードキャストされる（図示のようにλvのトラフィックだけでない）。適切な如何なる数のアップストリーム波長のトラフィックでもOLT１２０で受信され（１００ｎｍアップストリームバンドの複数のサブバンドでのトラフィックを含む）、アップストリーム波長は全てのONUで時分割共有される必要がないことに更に留意すべきである（例えば、個々のアップストリーム波長は、ダウンストリームの波長共有ONUの各グループで時分割共有される。）。  
光ファイバ１３０はアップストリーム及びダウンストリームのトラフィックを搬送する適切な何らかのファイバで構成されてよい。あるHPON１００では、光ファイバ１３０は例えば双方向ファイバで構成されてよい。他のHPON１００では、光ファイバ１３０は２つの別個のファイバで構成されてよい。
【００２３】
HPON１００のRN１４０は、マルチプレクサ及びパワースプリッタで構成されてよい。マルチプレクサは、ダウンストリーム波長λ1−λ4を分離し、それらの波長各々のトラフィックを波長共有ONU１５０の対応するグループに転送する。パワースプリッタは、全てのONU１５０にブロードキャストするトラフィックを（適用可能ならば）ダウンストリーム波長λvで受信し及び分離する。アップストリームトラフィックに関し、RN１４０のパワースプリッタは、ONU１５０からの時分割共有波長λuのトラフィックを受信し、１つの信号に合成する。RN１４０はアップストリーム信号をOLT１２０に転送する。RN１４０はリモートノードとして言及されるが、「リモート」は適切な何らかの空間的配置でOLT１２０及びONU１５０に通信可能にRN１４０が結合されていることを示すことに留意すべきである。リモートノードは一般に分配ノードと言及されてもよい。
【００２４】
ONU１５０（ダウンストリームターミナルの一例である）は適切な如何なる光ネットワークユニット又はONTから構成されてもよく、居住の及び／又は商用のカスタマに仕えてもよい。適切なONUがいくつ存在してよい。各ONU１５０は、λ1−λ4の１つである共用波長を介してトラフィックを受信する１つの受信機と、（適用可能ならば）λvを介してトラフィックを受信する1つの受信機とを含んでもよい。各ONU１５０は時分割共有波長λuでアップストリームトラフィックを送信する１つの送信機を備えてもよい。各ONU１５０はトリプレクサを含んでもよい。
【００２５】
動作時にあっては、OLT１２０内の送信機はλ1−λ4でダウンストリームトラフィックを送信し、その波長は一群のONU１５０で共有され、（場合によっては）OLT１２０内の1つの送信機がダウンストリームトラフィックをλvで全てのONU１５０にブロードキャストするように送信する。波長λ1−λ4のトラフィックはOLT１２０で１つの信号に多重され、その信号は光ファイバ１３０を介してRN１４０に伝搬する。RN１４０はλvのトラフィックを信号から選別し、そのトラフィックをパワースプリッタに転送し、パワースプリッタはブロードキャスト用に全てのONU１５０に分ける。マルチプレクサでは、RN１４０は、残りの波長(λ1−λ4)のトラフィックを含む信号を分離し、λ1−λ4の各波長のトラフィックを、波長を共有するONU１５０の対応するグループに転送する。各ONU１５０は、他のONU１５０と共有する１つ以上の波長を介してトラフィックを受信し、（適切なプロトコルに従って）そのトラフィックを処理する。各ONU１５０はλvでトラフィックを受信及び処理する。アップストリーム方向では、各ONU１５０は適切なプロトコルに従ってλuを時分割共有する。RN１４０は、時分割共有波長λuで各ONU１５０から搬送されたアップストリームトラフィックを受信し、パワースプリッタを用いてそのトラフィックを１つの信号に合成する。RN１４０は行使された信号をファイバ１３０を介してパワースプリッタに転送する。OLT１２０は受信機で信号を受信し、そのトラフィックを処理する。
【００２６】
HPONはDSLネットワークのような一般的なアクセスネットワークよりも非常に広い帯域を提供するかもしれないが、上述のHPONはOLT及び光ファイバの不具合からプロテクトされてない。従って、これらの要素の１つが故障すると、HPONシステムは、故障が直るまでトラフィックを（少なくとも部分的に）通信することができなくなる。この問題を解決するため、プロテクションシステムが用意され、第１システムが不具合を起こした場合にトラフィックプロテクション機能を発揮するようにする。その結果、PONのトラフィックは保護される。
【００２７】
図３ＡはHPON１００の代替的な伝送要素例を示す図である。伝送要素１１２はHPON１００の冗長的な保護要素を用意し、光ファイバ１３０ａ又は１３０ｂの何れかを介してトラフィックがRN１４０に伝送されることを許容にする。伝送要素１１２はプライマリOLT１２０ａを含み、冗長的なOLT１２０ｂも含み、冗長的なOLTはプライマリOLT１２０ａが故障した場合にトラフィックを伝送する。
【００２８】
このコンフィギュレーションでは、一度に唯１つのＯＬＴがアクティブであり、冗長的なOLT １２０ｂは、プライマリOLT１２０ａが故障するまでコールドスタンバイ(cold  standby)に維持される。コールドスタンバイの間、（波線で示されるように）冗長的なOLT１２０ｂはトラフィックを送信しない。これは、冗長OLT１２０ｂがプライマリOLT１２０ａにより既に送信済みのトラフィックを送信することを禁止する。プライマリOLT１２０ａに不具合が生じると、冗長OLT １２０ｂがウォーミングアップ（準備）され、トラフィックを送信する前に各ONUを探索及び発見する。従って、コンポーネント１１２を利用する場合、OLT１２０は２つの別々のファイバを用いてRN１４０に結合されるが、トラフィックは所与のどの時点でも１つのファイバでしかRN１４０で受信されない。図４Ａ−４Ｄに関して後述されるように、RN１４０はファイバ１３０ａ又は１３０ｂで受信したトラフィックを適切に分配するように構成される。
【００２９】
図３ＢはHPON１００の代替的な伝送要素例を示す図である。伝送要素１１４はHPON１００のための冗長的なファイバを用意し、光ファイバ１３０ａ又は１３０ｂの何れかを介してトラフィックがＲＮ１４０に伝送されることを許可する。伝送要素１１４はファイバスイッチ１３２を含み、ファイバスイッチはRN１４０にトラフィックを伝送するのにどの光ファイバ１３０が使用されるかを指定する。
【００３０】
ファイバスイッチ１３２は光ファイバ１３０ａ又は１３０ｂの何れかにトラフィックを択一的に切り換えるのに適切な如何なるスイッチを含んでもよく、そのスイッチは一度に一方のみがRN１４０にトラフィックを伝送するようにする。図示の例によれば、スイッチ１３２はOLT１２０からトラフィックを受信し、どの光ファイバ１３０がトラフィックをRN１４０に伝送するかを決定する。そして光ファイバ１３０ａが故障した場合、スイッチ１３２は、光ファイバ１３２ａの代わりに光ファイバ１３０ｂに（又はその逆向きに）OLT １２０からのトラフィックを向けることができる。これは、光ファイバ１３０ａの故障を発見した後速やかにトラフィックが光ファイバ１３０ｂで（又は逆のファイバ順序で）伝送されることを可能にする。そして、図３Ａの要素と同様に、RN１４０はファイバ１３０ａ又はファイバ１３０ｂの何れかからトラフィックを受信して分配する。
【００３１】
図３ＣはHPON１００の代替的な伝送要素例を示す図である。伝送要素１１６はHPON１００のための冗長的な保護要素を用意し、保護要素は光ファイバ１３０ａ又は１３０ｂの何れかを介してトラフィックをRN１４０に伝送することを可能にする。伝送要素１１６は、プライマリOLT１２０ａ及び冗長OLT １２０ｂを含み、その各々は同じダウンストリームトラフィックをファイバスイッチ１３４に伝送する。ファイバスイッチ１３４は、ダウンストリームトラフィックのどのコピーがRN１４０に送信されるかを指定し、同じトラフィックの２つのコピーがRN１４０に伝送されてしまうことを防ぐ。
【００３２】
ファイバスイッチ１３４は、光ファイバ１３０ａ及び１３０ｂを択一的に開閉する適切な如何なるスイッチを含んでもよく、そのスイッチを介して一度に一方のみがトラフィックを伝送できるようにする。図示の例では、スイッチ１３４はOLT１２０ａ及び１２０ｂ双方が同時にアクティブになることが許容される（OLTの一方から伝送されるトラフィックはスイッチ１３４で終端されるからである。）。これは、OLT１２０ａが故障した後速やかに冗長OLT１２０ｂによりトラフィックが（又はその逆の順序で）伝送されることを可能にする。OLT１２０ａは既にアクティブなので、ある従来システムでのようにコールドスタンバイではなく、OLT１２０ｂをウォームアップして各ONUを発見及び探索するのを待つ必要なしに、帯域が加入者に利用可能になる。その結果、ファイバスイッチ１３４はOLT １２０ｂをコールドスタンバイに設定する必要性を排除し、OLT１２０ａで既に処理済みのトラフィックを伝送してしまうことを防ぐ。
【００３３】
別の実施例では、冗長OLT１２０ｂはコールドスタンバイに維持されてもよい。従って、プライマリOLT１２０ａが故障した場合に、OLT１２０ｂはトラフィックを伝送するためにウォームアップされ、スイッチ１３４は光ファイバ１３０ｂを閉じ、冗長OLT１２０ｂ及び光ファイバ１３０ｂ双方を介してトラフィックがRN１４０に伝送可能にされる。
【００３４】
図３Ａ，３Ｂ，３Ｃに見受けられるように、OLT及び光ファイバでの故障からHPONを守ることは、RNに接続される少なくとも２つの別個のファイバを必要とする。その結果として、RNはダウンストリームトラフィックを受信する複数の入力を備えなければならない。従って、RNは、各入力で受信したトラフィックを適切なONUに分配するために分離及び／又はパワースプリッティングすることができなければならない。従来は、複数の入力が１つの入力に結合され、１つの入力からのトラフィックがデマルチプレクスされパワースプリッティングされる（図４Ａ参照。）。
【００３５】
図４Ａは従来のRN２４０を示す図であり、図３Ａ，３Ｂ，３Ｃの伝送要素の一部として使用されてもよい。RN２４０は、複数のダウンストリーム入力を１入力のダウンストリームトラフィックに合成するイニシャルカプラ２５０を含む（上述したように、どの時点でもこれらのダウンストリーム入力の１つだけがアクティブなトラフィックを有する。）。従って、複数のどの入力で受信したトラフィックでもカプラ２５０はRN２４０がデマルチプレクスし及び／又はパワー分離することを許可する。RN２４０はフィルタ２６０、プライマリカプラ２７０、マルチプレクサ２８０及びセカンダリカプラ２９０を含む。RN２４０はλ1−λ4でトラフィックを受信し、各波長のトラフィックをデマルチプレクスし、波長共有ONUの対応するグループに転送する。RN２４０はλvのトラフィックを、又はOLT１２０ａ若しくは１２０ｂから他の適切なブロードキャストトラフィックを受信し、λvのトラフィックを選別し、各ONUにブロードキャストする。RN２４０は、（λuのような）時分割共有波長を介して搬送されたアップストリーム信号をONUから受信し、これらの信号を合成し、合成されたトラフィックをλuでOLT１２０に転送する。光ファイバ２３０は図２，３Ａ，３Ｂ，３Ｃに示される光ファイバ１３０と実質的に同様でもよい。
【００３６】
イニシャルカプラ２５０は、何れかの光ファイバ２３０からλ1−λ4でトラフィックを受信してトラフィックをフィルタ２６０に転送する適切な如何なる装置で構成されてもよい。イニシャルカプラ２５０はファイバ２３０ａ，２３０ｂ双方からの入力を含む。イニシャルカプラ２５０は２入力を含むが、冗長ONUはコールドスタンバイに維持されているので、イニシャルカプラ２５０は一方の入力でのみダウンストリームトラフィックのコピーを受信し、（図３Ａに示されるように）光ファイバの一方を介するトラフィックの伝送を禁止し、或いは（図３Ｂ及び３Ｃに示されるように）ファイバスイッチは、ダウンストリームトラフィックの同一コピーがＲＮに送信されてしまうような伝送を禁止する。
【００３７】
フィルタ２６０は、λ1−λ4のトラフィックを含む信号を受信し、λ1−λ4のトラフィックをマルチプレクサ２８０に転送する適切な如何なるフィルタで構成されてもよい。フィルタ２６０は、λvのトラフィックを受信し、又は他のブロードキャスト波長のトラフィックを受信し、それをプライマリカプラ２７０に送信する。アップストリーム方向では、フィルタ２６０はλuのトラフィックを受信し、それをOLTに仕向ける。
【００３８】
プライマリカプラ２７０は、フィルタ２６０からλvのトラフィックを受信するのに適切な如何なる装置で構成されてもよい。プライマリカプラ２７０は、ダウンストリームトラフィックλvを分割し、各コピーをセカンダリカプラ２９０に転送する。プライマリカプラは１×４カプラとして描かれているが、適切な如何なるカプラが使用されてもよい。プライマリカプラ２７０は、アップストリーム方向では、セカンダリカプラ２９０から時分割共用波長λuでONUから伝送されたトラフィックを受信し、そのトラフィックを１つの信号に合成する。プライマリカプラ２７０はアップストリーム信号をフィルタ２６０に転送する。
【００３９】
マルチプレクサ２８０は適切な如何なるマルチプレクサ／デマルチプレクサを含んでもよく、λ1−λ4のトラフィックを含む信号を受信し、その信号を分離(デマルチプレクス)する。図示の例では、マルチプレクサ２８０は１×４マルチプレクサであるが、代替的なネットワークでは、マルチプレクサ２８０は適切なポートをいくつ含んでよい。また、代替的なネットワークでは、マルチプレクサ２８０は２つ以上の別個のマルチプレクサを含み、そのマルチプレクサは、１つ以上のアップストリームソースからダウンストリーム信号を受信し、ONUが波長を共用するようにトラフィックダウンストリームを転送する。ダウンストリーム方向では、マルチプレクサ２８０の各出力ポートは、λ1−λ4の内対応するトラフィックを対応するセカンダリカプラ２９０に転送するよう機能する。代替実施例では、各波長のトラフィックは図示されたものと異なるセカンダリカプラに転送され、１つより多くの波長のトラフィックがセカンダリカプラに転送され、及び／又はマルチプレクサ２８０は４つより多くの又は少ないダウンストリーム波長でトラフィックを受信し、多重し、転送してもよい。
【００４０】
アップストリーム方向では、マルチプレクサ２８０はONUからのλuのトラフィックを受信し、終端する。或いはマルチプレクサ２８０は適切な終端に備えてそのトラフィックをフィルタ２６０に転送してもよい（終端は、内部で又は外部で行われてもよい。）。
【００４１】
セカンダリカプラ２９０の各々は、マルチプレクサ２８０から信号を受信し、その信号を適切な数のコピーに分け、ONUの対応する波長共有グループのONUに各コピーを転送する適切な如何なるカプラで構成されてもよい（波長共有するONUの各グループはダウンストリーム方向でλ1−λ4の１つを共有する。）。更にセカンダリカプラ２９０の各々は、プライマリカプラ２７０からλvのトラフィックを含む信号を受信し、その信号を適切な数のコピーに分け、各コピーをONUに転送する。
【００４２】
アップストリーム方向では、各セカンダリカプラ２９０は、対応するONUグループの各ONUからλuで伝送されたトラフィックを受信し、各ONUからのトラフィックを１つの信号に結合する。各セカンダリカプラ２９０は、結合されたアップストリームトラフィックを２つのコピーに分け、一方のコピーをプライマリカプラ２７０へ、他方のコピーをマルチプレクサ２８０へ転送する。上述したようにプライマリカプラ２７０に転送されたコピーは、他のONUからの他のトラフィックと共に結合され、時分割共有波長λuで送信される。マルチプレクサ２８０に転送されたコピーは、ブロックされる又は適切な終端に備えてフィルタ２６０に転送される。セカンダリカプラ２９０はRN２４０で２×４カプラとして描かれているが、セカンダリカプラ２９０は適切な如何なるカプラでもその組み合わせでもよい（例えば、１×２カプラ２つに結合された２×２カプラでもよい。）。セカンダリカプラ２９０は適切な如何なる数の信号を分割し又は結合してよい。
【００４３】
RN２４０は動作時にあっては光ファイバ２３０ａ又は２３０ｂの何れかを介してイニシャルカプラ２５０でダウンストリーム信号(λ1−λ4，λu)のコピーを受信する。イニシャルカプラ２５０は信号をフィルタ２６０に転送し、その転送プロセスで信号のパワーが減ってしまう。λvのトラフィックに関し、フィルタ２６０はダウンストリームトラフィックをプライマリカプラ２７０に転送する。プライマリカプラ２７０は信号を４つのコピーに分割し、１つのコピーを各セカンダリカプラ２９０に転送する。各セカンダリカプラ２９０はその信号を適切なコピー数に分割する。図示の例では、各セカンダリカプラ２９０は信号を４つのコピーに分割する。各コピーはONU各々に転送される。λ1−λ4のトラフィックに関し、フィルタ２６０はダウンストリームトラフィックをマルチプレクサ２８０に転送する。マルチプレクサ２８０は、λ1−λ4のトラフィックを含む信号を受信し、その信号を構成波長成分に分離する。そしてマルチプレクサ２８０は各波長のトラフィックを対応するファイバに沿って転送し、各セカンダリカプラ２９０が関連するλ1−λ4のトラフィックを受信するようにする。各セカンダリカプラ２９０は信号を適切なコピー数に分割する。図示の例では、各セカンダリカプラ２９０は信号を４つのコピーに分割する。このように、λ1−λ4の内対応するものが、ONUの1つ以上のグループに送信され、それらによって共有される。セカンダリカプラ２９０が、λ1−λ4の内対応するトラフィックを含む信号を４つのコピーに分割した後、セカンダリカプラ２９０はファイバ２３０を介して各コピーを転送し、セカンダリカプラ２９０に結合されたONUがコピーを受信するようにする。
【００４４】
アップストリーム方向では、RN２４０の各セカンダリカプラ２９０は、時分割共有波長λuを介してトラフィックを受信し、対応するグループの中で各ONUからのトラフィックを結合する。λuでトラフィックを受信し、１つの信号に結合した後、各セカンダリカプラ２９０はその信号を２つのコピーに分割し、１つのコピーをマルチプレクサ２８０に、１つのコピーをプライマリカプラ２７０に転送する。上述したように、一例のRN２４０のマルチプレクサ２８０はλuをブロックしてもよいし、適切な終端のためにフィルタ２６０に転送してもよい。プライマリカプラ２７０は、各セカンダリカプラ２９０からλuでトラフィックを受信し、そのトラフィックを結合し、トラフィックをフィルタ２６０へ転送する。フィルタ２６０は、λuで結合されたトラフィックを受信し、そのトラフィックをイニシャルカプラ２５０に向け、イニシャルカプラはトラフィックをOLTに転送する。
【００４５】
上述したように、従来のRNは１つより多くの入力でダウンストリームトラフィックを受信し、各入力で受信したトラフィックをデマルチプレクス及び／又はパワー分離する。しかしながらそれを実行するために、従来のRNはカプラ２５０を用いて複数の入力を１つのファイバに結合する。この結合(カップリング)は、ダウンストリーム信号のパワーを約３デシベル(dB)減らし、各ONUで受信される信号のパワーを減らしてしまう。上述したように、RNはダウンストリーム信号のλvのブロードキャストトラフィックをN個のコピーに分割するよう機能し、NはRNに結合されているONU数である。信号がN個のコピーに分けられる場合、各ONUで受信される信号のパワーは１／Nより少なくなってしまう。その結果、各ONUは、OLTから送信された当初のパワーの少なくとも１／Nだけ既に弱まった信号を受信する。従ってそれ以上の如何なるパワー劣化も望ましくない。本発明はRNのイニシャルカプラの必要性を排除する。これにより各ONUで受信される信号のパワーは、イニシャルカプラに付随するロスより少ないロスしか被らずに済む。
【００４６】
図４Ｂは本発明の特定の実施例による代替的なＲＮを例示する図である。RN３４０は図３Ａ，３Ｂ，３ＣのRN１４０の一例になってもよい。RN３４０は、光ファイバ３３０ａに結合されたフィルタ３６０ａと、光ファイバ３３０ｂに結合されたフィルタ３６０ｂとを有する。フィルタ３６０は、λvのトラフィックを有するダウンストリーム信号が、プライマリカプラ３７０へ転送される前に、イニシャルカプラを通る必要性をなくす。こうしてλvのダウンストリームトラフィックは、イニシャルカプラに伴う余分なパワー損失を被らずに済む。RN３４０はプライマリカプラ３７５、マルチプレクサ３８０及びセカンダリカプラ３９０を含む。光ファイバ３３０は図２，３Ａ，３Ｂ，３Ｃの光ファイバ１３０と実質的に同様である。
【００４７】
フィルタ３６０は、λ1−λ4のトラフィックを含む信号を受信し、λ1−λ4のトラフィックを（マルチプレクサ３８０に結合された）プライマリカプラ３７５へ転送する適切な如何なるフィルタで構成されてもよい。フィルタ３６０は、λvの又は別のブロードキャスト波長のトラフィックを受信し、それを低パワー損失のプライマリカプラ３７０に送信し、そのプライマリカプラでは、イニシャルカプラを介してトラフィックが伝搬したならば生じるものより低いパワー損失しか伴わない。複数のフィルタ３６０が備わっているにもかかわらず、ただ１つのフィルタ３６０がダウンストリームトラフィックのコピーを受信する。なぜなら、冗長的なONUはコールドスタンバイに維持され、光ファイバの１つを介するトラフィックの伝送を禁止しているからである（これは、図３Ａと同様である。）。或いはファイバスイッチは、ダウンストリーム信号の同一コピーがＲＮに伝送されるのを禁止するからである（これは、図３Ｂ，３Ｃと同様である。）。アップストリーム方向では、フィルタ３６０はλuのトラフィックをそれぞれ受信し、それをOLTに向ける。
【００４８】
プライマリカプラ３７０は図４Ａのプライマリカプラ２７０と実質的に同様である。しかしながらプライマリカプラ２７０とは異なり、プライマリカプラ３７０はダウンストリームトラフィックについて２つの入力を有する。従ってプライマリカプラ３７０は２×４スイッチとして示されている。しかしながら適切な如何なるカプラが使用されてもよい。２入力を備えているにもかかわらず、ダウンストリームトラフィックの唯１つのコピーが、上述したようにプライマリカプラ３７０で受信される。マルチプレクサ３８０は図４Ａのマルチプレクサ２８０と実質的に同様である。同様に、セカンダリカプラ３９０は図４Ａのセカンダリカプラ２９０と実質的に同様である。
【００４９】
プライマリカプラ３７５は、何れかのフィルタ３６０からλ1−λ4のトラフィックを受信し、そのトラフィックをマルチプレクサ３８０に転送する適切な如何なる装置で構成されてもよい。プライマリカプラ３７５はフィルタ３６０ａ，３６０ｂからの入力を含む。従ってプライマリカプラ３７５は２×１カプラとして示されている。しかしながら適切な如何なるカプラが使用されてもよい。プライマリカプラ３７５は２つの入力を含んでいるが、プライマリカプラ３７５は上述したようにダウンストリームトラフィックλ1−λ4のコピーを１つの入力でしか受信しない。
【００５０】
プライマリカプラ３７５は、λ1−λ4のトラフィックを含むダウンストリーム信号についてパワーの損失を与えるが、λ1−λ4のダウンストリームトラフィックについてのパワーの損失は、λvのダウンストリームトラフィックについてのパワーの付加的な損失ほどには大きくない。この理由は、λ1−λ4のダウンストリームトラフィックは、λvのダウンストリームトラフィックと同程度に多くのコピーには分割されないからである。例えば、λvのダウンストリームトラフィックはN個のコピーに分割され、NはONU数である。しかしながらλ1−λ4のダウンストリームトラフィックは各ONUで受信されない。その代わり、各波長に関連する波長共有するONUのグループでしか各波長は受信されない。その結果、各ONUについて信号は複製されず、従って信号のパワーはλvの場合と同程度には減らされない。このようにλ1−λ4のダウンストリームトラフィックでプライマリカプラ３７５により引き起こされる付加的な損失は、許容できないほど望ましくないわけではない。
【００５１】
RN３４０は動作時にあっては光ファイバ３３０ａ又は３３０ｂ何れかを介してダウンストリーム信号のコピー(λ1−λ4、λv)を1つのフィルタ３６０で受信する。ダウンストリーム信号を受信するフィルタ３６０は、プライマリカプラ３７０又はプライマリカプラ３７５の何れかに信号を転送する。λvのトラフィックに関し、フィルタ３６０は、ダウンストリームトラフィックにパワー損失を与えずに、ダウンストリームトラフィックをプライマリカプラ３７０に転送する。プライマリカプラ３７０は信号を４つのコピーに分割し、１つのコピーを各セカンダリカプラ３９０に転送する。各セカンダリカプラ３９０は信号を適切なコピー数に分割する。図示の例では、各セカンダリカプラ３９０は信号を４つのコピーに分割する。各コピーは以後各ONUに転送される。λ1−λ4のトラフィックに関し、フィルタ３６０はダウンストリームトラフィックをプライマリカプラ３７５に転送する。プライマリカプラ３７５は信号をマルチプレクサ３８０に転送する。マルチプレクサ３８０は、λ1−λ4のトラフィックを含む信号を受信し、その信号を構成波長要素にデマルチプレクスする。各セカンダリカプラ３９０がλ1−λ4の内の対応するトラフィックを受信するように、マルチプレクサ３８０は各波長のトラフィックを対応するフィルタに沿って転送する。各セカンダリカプラ３９０は信号を適切なコピー数に分割する。図示の例では、各セカンダリカプラ３９０は信号を４つのコピーに分割する。こうしてλ1−λ4に対応するものがONUの1つ以上のグループに送信され、共有される。λ1−λ4に対応するトラフィックを含む信号をセカンダリカプラ３９０が４つのコピーに分割した後、セカンダリカプラ３９０に結合されたONUがコピーを受信するように、セカンダリカプラ３９０は各コピーをファイバ３３０を介して転送する。
【００５２】
アップストリーム方向では、RN３４０の各セカンダリカプラ３９０は、時分割共有波長λuのトラフィックを受信し、関連するグループ中の各ＯＮＵからのトラフィックを結合する。λuのトラフィックを受信し、１つの信号に結合した後、各セカンダリカプラ３９０はその信号を２つのコピーに分割し、１つのコピーをマルチプレクサ３８０に、１つのコピーをプライマリカプラ３７０に転送する。上述したように、一例のRN３４０のマルチプレクサ３８０は、λuをブロックしてもよいし、或いは適切な終端に備えてフィルタ３６０に転送してもよい。プライマリカプラ３７０は、各セカンダリカプラ３９０からλuのトラフィックを受信し、トラフィックを結合し、そのトラフィックをフィルタ３６０に転送する。フィルタ３６０はλuの結合トラフィックを受信し、そのトラフィックをOLTに向ける。
【００５３】
図４Ｃは本発明の特定の実施例による代替的な別のＲＮを例示する図である。RN４４０は図３Ａ，３Ｂ，３ＣのRN１４０の一例になってもよい。RN４４０は、光フィルタ３４０ａに結合されたフィルタ４６０ａと、光ファイバ４３０ｂに結合されたフィルタ４６０ｂとを含む。図４ＣのRN３４０と同様に、フィルタ４６０は、プライマリカプラ４７０に転送される前に、λvのトラフィックを有するダウンストリーム信号が、イニシャルカプラを通過する必要性を排除する。図４ＣのRN３４０とは異なり、RN４４０は、フィルタ４６０ａに結合されたマルチプレクサ４８０ａと、フィルタ４６０ｂに結合されたマルチプレクサ４８０ｂとを含む。マルチプレクサ４８０は、λ1−λ4のトラフィックを有するダウンリンク信号が、マルチプレクサ４８０に転送される前に（図４Ｂのカプラ３７５のような）プライマリカプラを通過する必要性を排除する。そして（λv及びλ1−λ4のトラフィックと共に）ダウンストリーム信号は、そのようなカプラに付随する余分なパワー損失を被らずに済む。
【００５４】
光ファイバ４３０は図２，３Ａ，３Ｂ，３Ｃの光ファイバ１３０と実質的に同様である。ファイバ４６０は図４Ｂのファイバ３６０と実質的に同様である。プライマリカプラ４７０は図４Ｂのプライマリカプラ３６０と実質的に同様である。
【００５５】
マルチプレクサ４８０は図４Ｂのプライマリカプラ３８０と実質的に同様である。しかしながら、RN４４０は複数のマルチプレクサ４８０を含んでいる。その結果、λ1−λ4のトラフィックの伴うダウンストリーム信号は（図４Ｂに見受けられるように）プライマリカプラを通過する必要はなく、従ってλ1−λ4のトラフィックを伴うダウンストリーム信号は、そのようなカプラに関連するパワー損失を被らずに済む。
【００５６】
RN４４０はセカンダリカプラ４９０を含む。セカンダリカプラ４９０は図４Ａ，４Ｂのセカンダリカプラ２９０，３９０と実質的に同様である。しかしながら、２つのダウンストリーム入力しか備えていないのではなく、セカンダリカプラ４９０は３つのダウンストリーム入力を含む。従ってセカンダリカプラ４９０は３×４カプラとして示されている。図示とは別に、適切な他の如何なるカプラが使用されてもよい。
【００５７】
RN４４０は動作時にあっては光ファイバ４３０ａ又は４３０ｂを介してダウンストリーム信号のコピー(λ1−λ4、λv)を1つのフィルタ４６０で受信する。ダウンリンクストリーム信号を受信するフィルタ４６０は、プライマリカプラ４７０へ又はマルチプレクサ４８０ａ，４８０ｂへ信号を転送する。その結果、λv及びλ1−λ4双方でトラフィックを伴うダウンストリーム信号は、パワーの劣化を被らずに済む。λvのトラフィックに関し、フィルタ４６０はダウンストリームトラフィックをプライマリカプラ４７０に転送する。プライマリカプラ４７０はその信号を４つのコピーに分割し、１つのコピーを各セカンダリカプラ４９０に転送する。各セカンダリカプラ４９０は信号を適切なコピー数に分割する。図示の例では、各セカンダリカプラ４９０は信号を４つのコピーに分割する。そして各コピーは各ONUに転送される。λ1−λ4のトラフィックに関し、フィルタ４６０は、ダウンストリームトラフィックを、フィルタ４６０に結合されているマルチプレクサ４８０に転送する。マルチプレクサ４８０は、λ1−λ4のトラフィックを含む信号を受信し、その信号を構成波長成分に分離する。そしてマルチプレクサ４８０は、各セカンダリカプラ４９０がλ1−λ4の内対応するトラフィックを受信するように、対応するファイバに沿って各波長でトラフィックを転送する。各セカンダリカプラ４９０は信号を適切なコピー数に分割する。図示の例では、各セカンダリカプラ４９０は信号を４つのコピーに分割する。このように、λ1−λ4の内対応するものがONUの１つ以上のグループに転送され、共有される。セカンダリカプラ４９０が、λ1−λ4の内対応するトラフィックを含む信号を4つのコピーに分割した後、セカンダリカプラ４９０に結合されたONUがコピーを受信するように、セカンダリカプラ４９０は各コピーをファイバ４３０を介して転送する。
【００５８】
アップストリーム方向では、RN４４０の各セカンダリカプラ４９０は時分割共有波長λuを介してトラフィックを受信し、対応するグループ中のONU各々からのトラフィックを結合する。λuを介してトラフィックを受信し、１つの信号に結合した後、各セカンダリカプラ４９０は信号を３つのコピーに分割し、１つのコピーをマルチプレクサ４８０ａに、１つのコピーをマルチプレクサ４８０ｂに、１つのコピーをプライマリカプラ４７０に転送する。上述したように、一例のRN４４０の各マルチプレクサはλuをブロックしてもよいし、適切な終端のためにλuをフィルタ４６０に転送してもよい。プライマリカプラ４７０は、各セカンダリカプラ４９０からλuを介してトラフィックを受信し、トラフィックを結合し、トラフィックをフィルタ４６０に転送する。フィルタ４６０はλuの結合されたトラフィックを受信し、そのトラフィックをOLTに向ける。
【００５９】
図４Ｄは本発明の特定の実施例による代替的な別のＲＮを例示する図である。RN５４０は図３Ａ，３Ｂ，３ＣのRN１４０の一例になってもよい。RN５４０は図４ＡのRN２４０と置き換わってもよい。RN５４０は、どの光ファイバ５３０がフィルタ５６０に結合されるかを指定するRNスイッチ５５５を含む。RNスイッチ５５５は、フィルタ５６０に転送される前に、（λv及びλ1−λ4双方で）ダウンストリーム信号がイニシャルカプラを通過する必要性を排除する。従って（λv及びλ1−λ4の）ダウンストリーム信号は、そのようなカプラに関連する余分なパワーロスを被らず、実際のスイッチに付随する（かなり小さい）ロスしか被らずに済む。RN５４０はプライマリカプラ５７０、マルチプレクサ５８０及びセカンダリカプラ５９０を含む。光ファイバ５３０は図２，３Ａ，３Ｂ，３Ｃの光ファイバと実質的に同様でもよい。
【００６０】
RNスイッチ５４０は、光ファイバ５３０ａ，５３０ｂの一方から、フィルタ５６０に転送されるべき信号を選択する適切な如何なるスイッチを含んでもよい。RNスイッチ５４０は複数の入力を含んでいるが、フィルタ５６０に対するカップリングを１つしか含まなくてもよい。図示の例によれば、フィルタ５６０は光ファイバ５３０の一方のみからトラフィックを受信する。別の例では、RN５４０は図３Ｃのファイバスイッチ１３４で置き換わってもよい。その結果、RN５４０はアクティブなファイバ５３０双方でトラフィックを受信し、何れのトラフィックをフィルタ５６０に転送するかを選択してもよい。
【００６１】
フィルタ５６０は図４Ａのフィルタ２６０と実質的に同様である。プライマリカプラ５７０は図４Ａのプライマリカプラ２７０と実質的に同様である。マルチプレクサ５８０は図４Ａのマルチプレクサ２８０と実質的に同様である。セカンダリカプラ４９０は図４Ａのセカンダリカプラ２９０と実質的に同様である。
【００６２】
RN５４０は動作時にあっては光ファイバ５３０ａ又は５３０ｂ何れかを介してRNスイッチ５５５でダウンストリーム信号のコピー（λ1−λ4及びλv）を受信する。RNスイッチ５５５は光ファイバ５３０の一方から信号を選択する。その結果フィルタ５６０は一方の光ファイバ５３０からの入力しか受信しない。このようなスイッチの利用法は、（図４Ａ，４Ｂのような）イニシャルカプラの必要性を排除し、及び／又は（図４Ｃのような）２つのフィルタや２つのマルチプレクサの必要性を排除する。フィルタ５６０はRNスイッチ５５５からダウンストリーム信号を受信する。λvのトラフィックに関し、フィルタ５６０はダウンストリームトラフィックをプライマリカプラ５７０に転送する。プライマリカプラ５７０は信号を４つのコピーに分割し、コピーをセカンダリカプラ５９０各々に転送する。各セカンダリカプラ５９０はその信号を適切なコピー数に分割する。図示の例では、各セカンダリカプラ５９０は信号を４つのコピーに分割する。そして各コピーは各ONUに転送される。λ1−λ4のトラフィックに関し、フィルタ５６０はダウンストリームトラフィックをマルチプレクサ５８０に転送する。マルチプレクサ２８０は、λ1−λ4のトラフィックを含む信号を受信し、その信号を構成波長成分に分離する。そしてマルチプレクサ５８０は各波長のトラフィックを対応するファイバに沿って転送し、各セカンダリカプラ５９０がλ1−λ4の内対応するトラフィックを受信するようにする。各セカンダリカプラ５９０は信号を適切なコピー数に分割する。図示の例では、各セカンダリカプラ５９０は信号を４つのコピーに分割する。このように、λ1−λ4の内対応するものが1つ以上のONUグループに転送され、共有される。セカンダリカプラ５９０がλ1−λ4の内対応するトラフィックを含む信号を４つのコピーに分割した後で、セカンダリカプラ５９０に結合したONUがコピーを受信するように、セカンダリカプラ５９０は各コピーをファイバ５３０を介して転送する。
【００６３】
アップストリーム方向では、RN５４０のセカンダリカプラ５９０は、時分割共有波長λuでトラフィックを受信し、対応するグループ中のONU各々からのトラフィックを結合する。λuでトラフィックを受信し、１つの信号に結合した後に、各セカンダリカプラ５９０は信号を２つのコピーに分割し、１つのコピーをマルチプレクサ５８０に、１つのコピーをプライマリカプラ５７０に転送する。上述したように、一例のRN５４０のマルチプレクサ５８０はλuをブロックしてもよいし、適切な終端に備えてフィルタ５６０に転送してもよい。プライマリカプラ５７０は、各セカンダリカプラ５９０からのλuを介したトラフィックを受信し、そのトラフィックをフィルタ５６０に転送する。フィルタ５６０はλuの結合されたトラフィックを受信し、そのトラフィックをRNスイッチ５５５に向ける。RNスイッチ５５５はトラフィックをOLTに転送する。
【００６４】
以上本発明の実施例及びその利点が詳細に説明されたが、添付の特許請求の範囲で規定されている本発明の精神及び範囲から逸脱せずに、当業者は様々な代替、付加及び削除を行うことができるであろう。
【００６５】
（関連出願のクロスリファレンス）
本願は“System  and  Method  for  Managing  Power  in  an  Optical  Network”と題する西暦2006年6月2日に出願された35U.S.C.§119(e)に基づく米国仮出願番号第60/804,796号に関連する。
【００６６】
以下、本発明により教示される手段を例示的に列挙する。
【００６７】
（付記１）
１つ以上のアップストリームターミナル、分配ノード及び複数のダウンストリームターミナルを有する光ネットワークの分配ノードでトラフィックを分配する方法であって、
前記１つ以上のアップストリームターミナルの少なくとも１つから、前記分配ノードにおける複数のフィルタの少なくとも１つで波長分割多重(WDM)トラフィックを複数の波長で受信するステップであって、前記フィルタの各々は、複数の別個のファイバで１つ以上のアップストリームターミナルに結合されているステップと、
第１群の１つ以上の波長のトラフィックと第２群の１つ以上の波長のトラフィックとを前記フィルタで分離するステップと、
全てのダウンストリームターミナルに分配するように、前記第１群の波長でトラフィックをルーティングするステップと、
特定の一部のダウンストリームターミナルに分配するように、前記第２群の波長の各波長でトラフィックをルーティングするステップと、
を有する方法。
（付記２）
特定の一部のダウンストリームターミナルに分配するように、前記第２群の波長の各波長でトラフィックをルーティングするステップが、
前記複数のフィルタの少なくとも１つから、前記第２群の波長でトラフィックを波長ルータに転送するステップと、
前記波長ルータを用いて前記第２群の複数の波長を分離するステップと、
特定の一部のダウンストリームターミナルに分配するように、前記第２群の波長の各波長で前記トラフィックをルーティングするステップと、
を有する付記１記載の方法。
（付記３）
特定の一部のダウンストリームターミナルに分配するように、前記第２群の波長の各波長でトラフィックをルーティングするステップが、
前記第２群の波長でトラフィックを複数の波長ルータの少なくとも１つに転送するステップと、
前記波長ルータを用いて前記第２群の複数の波長を分離するステップと、
特定の一部のダウンストリームターミナルに分配するように、前記第２群の波長の各波長で前記トラフィックをルーティングするステップと、
を有する付記１記載の方法。
【００６８】
（付記４）
全てのダウンストリームターミナルに分配するように、前記第１群の波長でトラフィックをルーティングするステップが、
前記第１群におけるトラフィックを複数のコピーに分けるステップと、
全てのダウンストリームターミナルに分配するように前記コピーを転送するステップと、
を有する付記２記載の方法。
【００６９】
（付記５）
全てのダウンストリームターミナルに分配するように、前記第１群の波長でトラフィックをルーティングするステップが、
前記第１群におけるトラフィックを複数のコピーに分けるステップと、
全てのダウンストリームターミナルに分配するように前記コピーを転送するステップと、
を有する付記３記載の方法。
【００７０】
（付記６）
全てのダウンストリームターミナルに分配するように、前記第１群の波長でトラフィックをルーティングするステップが、
前記第１群におけるトラフィックを複数のコピーに分けるステップと、
全てのダウンストリームターミナルに分配するように前記コピーを転送するステップと、
を有する付記１記載の方法。
【００７１】
（付記７）
前記第１群の波長でトラフィックを受信するステップと、
前記第２群の波長の各波長でトラフィックを受信するステップと、
前記第１群の波長のトラフィックを、前記第１群のトラフィックの複数の第２コピーに分けるステップと、
前記第２群の波長の各波長でトラフィックを、前記第２群の各波長で前記トラフィックの複数の第２コピーに分けるステップと、
前記第１群の前記第２コピーを全てのダウンストリームターミナルに分配するステップと、
前記第２群の各波長で前記トラフィックの前記第２コピーを、特定の一部の前記ダウンストリームターミナルに分配するステップと、
を有する付記２記載の方法。
【００７２】
（付記８）
１つ以上のアップストリームターミナル、分配ノード及び複数のダウンストリームターミナルを有する光ネットワークの分配ノードでトラフィックを分配する方法であって、
前記１つ以上のアップストリームターミナルの少なくとも１つから、前記分配ノードにおけるスイッチで波長分割多重(WDM)トラフィックを複数の波長で受信するステップであって、前記スイッチは、複数の別個のファイバで１つ以上のアップストリームターミナルに結合されているステップと、
前記ファイバの１つから、フィルタに転送されるべきWDMトラフィックを選択するステップと、
第１群の１つ以上の波長のトラフィックと第２群の１つ以上の波長のトラフィックとを前記フィルタで分離するステップと、
全てのダウンストリームターミナルに分配するように、前記第１群の波長でトラフィックをルーティングするステップと、
特定の一部のダウンストリームターミナルに分配するように、前記第２群の波長の各波長でトラフィックをルーティングするステップと、
を有する方法。
（付記９）
特定の一部のダウンストリームターミナルに分配するように、前記第２群の波長の各波長でトラフィックをルーティングするステップが、
前記フィルタから、前記第２群の波長でトラフィックを波長ルータに転送するステップと、
前記波長ルータを用いて前記第２群の複数の波長を分離するステップと、
特定の一部のダウンストリームターミナルに分配するように、前記第２群の波長の各波長で前記トラフィックをルーティングするステップと、
を有する付記８記載の方法。
（付記１０）
全てのダウンストリームターミナルに分配するように、前記第１群の波長でトラフィックをルーティングするステップが、
前記第１群におけるトラフィックを複数のコピーに分けるステップと、
全てのダウンストリームターミナルに分配するように前記コピーを転送するステップと、
を有する付記８記載の方法。
【００７３】
（付記１１）
前記第１群の波長でトラフィックを受信するステップと、
前記第２群の波長の各波長でトラフィックを受信するステップと、
前記第１群の波長のトラフィックを、前記第１群のトラフィックの複数の第２コピーに分けるステップと、
前記第２群の波長の各波長でトラフィックを、前記第２群の各波長で前記トラフィックの複数の第２コピーに分けるステップと、
前記第１群の前記第２コピーを全てのダウンストリームターミナルに分配するステップと、
前記第２群の各波長で前記トラフィックの前記第２コピーを、特定の一部の前記ダウンストリームターミナルに分配するステップと、
を有する付記８記載の方法。
（付記１２）
光ネットワークにおける分配ノードであって、前記光ネットワークは、１つ以上のアップストリームターミナル、当該分配ノード及び複数のダウンストリームターミナルを有し、当該分配ノードは、
複数の別個のフィルタにより１つ以上のアップストリームターミナルに結合された複数のフィルタであって、各フィルタは、波長分割多重(WDM)トラフィックを複数の波長で受信し、第１群の１つ以上の波長で受信したトラフィックと第２群の１つ以上の波長のトラフィックと分離し、所与のどの時点でも複数のフィルタの内唯１つが前記WDMトラフィックを受信する複数のフィルタと、
前記フィルタ各々に結合された第１プライマリカプラであって、前記第１群の波長でトラフィックを受信し、全てのダウンストリームターミナルに分配するように、前記第１群の波長でトラフィックをルーティングする第１プライマリカプラと、
前記フィルタ各々に結合された分配システムであって、前記第２群の波長でトラフィックを受信し、特定の一部のダウンストリームターミナルに分配するように、前記第２群の波長の各波長でトラフィックをルーティングする分配システムと、
を有する分配ノード。
（付記１３）
前記分配システムが、前記フィルタの各々に結合された第２プライマリカプラを有し、
該第２プライマリカプラは、前記フィルタの１つから、前記第２群の波長でトラフィックを受信し、前記第２群の波長でトラフィックを波長ルータに転送し、
前記波長ルータは、前記第２プライマリカプラに結合され、前記第２群の複数の波長を分離し、特定の一部のダウンストリームターミナルに分配するように、前記第２群の波長の各波長で前記トラフィックをルーティングする付記１２記載の分配ノード。
（付記１４）
前記分配システムが、複数の波長ルータを有し、各波長ルータは前記フィルタの１つに結合され、
各波長ルータは、前記第２群の波長における複数の波長を分離し、特定の一部のダウンストリームターミナルに分配するように、前記第２群の波長の各波長で前記トラフィックをルーティングし、
所与のどの時点でも、前記複数の波長ルータの唯１つが、前記第２群の波長でトラフィックを受信する付記１２記載の分配ノード。
（付記１５）
前記第１プライマリカプラが、前記第１群の波長におけるトラフィックを複数のコピーに分割し、全てのダウンストリームターミナルに分配するように前記コピーを転送する付記１３記載の分配ノード。
【００７４】
（付記１６）
前記第１プライマリカプラが、前記第１群の波長におけるトラフィックを複数のコピーに分割し、全てのダウンストリームターミナルに分配するように前記コピーを転送する付記１４記載の分配ノード。
（付記１７）
前記第１プライマリカプラが、前記第１群の波長におけるトラフィックを複数のコピーに分割し、全てのダウンストリームターミナルに分配するように前記コピーを転送する付記１２記載の分配ノード。
【００７５】
（付記１８）
当該分配ノードが複数のセカンダリカプラを更に有し、各セカンダリカプラは前記第１プライマリカプラに及び前記分配システムに結合され、各セカンダリカプラは、
前記第１群の波長でトラフィックを受信し、
前記第２群の波長の各波長でトラフィックを受信し、
前記第１群の波長のトラフィックを、前記第１群のトラフィックの複数の第２コピーに分割し、
前記第２群の波長の各波長でトラフィックを、前記第２群の各波長で前記トラフィックの複数の第２コピーに分割し、
前記第１群の前記第２コピーを全てのダウンストリームターミナルに分配し、
前記第２群の各波長で前記トラフィックの前記第２コピーを、特定の一部の前記ダウンストリームターミナルに分配する付記１２記載の分配ノード。
（付記１９）
光ネットワークにおける分配ノードであって、前記光ネットワークは、１つ以上のアップストリームターミナル、当該分配ノード及び複数のダウンストリームターミナルを有し、当該分配ノードは、
複数の別個のフィルタにより１つ以上のアップストリームターミナルに結合されたスイッチであって、波長分割多重(WDM)トラフィックを複数の波長で受信し、ファイバの一方からフィルタに転送されるべきWDMトラフィックを選択するスイッチと、
前記スイッチに結合されたフィルタであって、選択されたWDMトラフィックを受信し、  第１群の１つ以上の波長で受信したトラフィックと第２群の１つ以上の波長のトラフィックと分離するフィルタと、
前記フィルタに結合されたプライマリカプラであって、前記第１群の波長でトラフィックを受信し、全てのダウンストリームターミナルに分配するように、前記第１群の波長でトラフィックをルーティングするプライマリカプラと、
前記フィルタに結合された波長ルータであって、前記第２群の波長でトラフィックを受信し、特定の一部のダウンストリームターミナルに分配するように、前記第２群の波長の各波長でトラフィックをルーティングする波長ルータと、
を有する分配ノード。
【００７６】
（付記２０）
前記波長ルータは、前記第２群の波長におけるトラフィックを受信し、前記第２群の波長における複数の波長を分離し、特定の一部のダウンストリームターミナルに分配するように、前記第２群の波長の各波長で前記トラフィックをルーティングする付記１９記載の分配ノード。
【００７７】
（付記２１）
前記プライマリカプラは、前記第１群の波長におけるトラフィックを受信し、前記第１群の波長におけるトラフィックを複数のコピーに分割し、全てのダウンストリームターミナルに分配するように、前記コピーを転送する付記１９記載の分配ノード。
【００７８】
（付記２２）
当該分配ノードが複数のセカンダリカプラを更に有し、各セカンダリカプラは前記プライマリカプラに及び前記波長ルータに結合され、各セカンダリカプラは、
前記第１群の波長でトラフィックを受信し、
前記第２群の波長の各波長でトラフィックを受信し、
前記第１群の波長のトラフィックを、前記第１群のトラフィックの複数の第２コピーに分割し、
前記第２群の波長の各波長でトラフィックを、前記第２群の各波長で前記トラフィックの複数の第２コピーに分割し、
前記第１群の前記第２コピーを全てのダウンストリームターミナルに分配し、
前記第２群の各波長で前記トラフィックの前記第２コピーを、特定の一部の前記ダウンストリームターミナルに分配する付記１２記載の分配ノード。
【図面の簡単な説明】
【００７９】
【図１】PSPONの一例を示す図である。
【図２】HPONの一例を示す図である。
【図３Ａ】図２のHPONの代替的な伝送要素例を示す図である。
【図３Ｂ】図２のHPONの代替的な伝送要素例を示す図である。
【図３Ｃ】図２のHPONの代替的な伝送要素例を示す図である。
【図４Ａ】図３Ａ，３Ｂ，３Ｃの伝送要素の一部として使用される従来のＲＮを示す図である。
【図４Ｂ】本発明の特定の実施例による代替的なＲＮを例示する図である。
【図４Ｃ】本発明の特定の実施例による代替的なＲＮを例示する図である。
【図４Ｄ】本発明の特定の実施例による代替的なＲＮを例示する図である。
【符号の説明】
【００８０】
１０  PSPON
２０  光回線ターミナル(OLT)
３０  光ファイバ
４０  リモートノード(RN)
５０  光ネットワークユニット(ONU)
１００  HPON
１１０  コンポーネント
１２０  OLT
１３０  光ファイバ
１４０  RN
１５０  ONU
２４０  RN
２５０  カプラ
２６０  フィルタ
２７０  プライマリカプラ
２８０  マルチプレクサ
２９０  セカンダリカプラ
３３０  光ファイバ
３４０  RN
３６０  フィルタ
３７０  プライマリカプラ
３７５  プライマリカプラ
３８０  マルチプレクサ
３９０  セカンダリカプラ
４３０  光ファイバ
４４０  RN
４６０  フィルタ
４７０  プライマリカプラ
４８０  マルチプレクサ
５３０  光ファイバ
５４０  RN
５５５  RNスイッチ
５６０  フィルタ
５７０  プライマリカプラ
５８０  マルチプレクサ
５９０  セカンダリカプラ
【図１】
2007325279.tif 000003
【図２】
2007325279.tif 000004
【図３Ａ】
2007325279.tif 000005
【図３Ｂ】
2007325279.tif 000006
【図３Ｃ】
2007325279.tif 000007
【図４Ａ】
2007325279.tif 000008
【図４Ｂ】
2007325279.tif 000009
【図４Ｃ】
2007325279.tif 000010
【図４Ｄ】
2007325279.tif 000011